(57)【特許請求の範囲】
【請求項１】
商品コード、売価、品名等の商品データが記憶された商品ファイルと、
前記商品ファイルから読み出された商品データに基づいて買い上げ商品の登録を行うＰＯＳ端末と、
前記商品ファイルから読み出された商品データに基づいてＰＯＰシートを印字発行するＰＯＰ発行装置と、
前記商品ファイルを管理するファイル管理装置とを具備するＰＯＰ発行システムにおいて、
前記ＰＯＰ発行装置は、前記読み出された商品データに基づいてＰＯＰシートが印字発行された際、該発行されたＰＯＰシートの商品を特定可能に記憶する記憶手段と、
前記ＰＯＰシートが発行された商品の売価を変更する操作がされた時、前記ＰＯＰシートが発行済みである旨を報知する報知手段を備えていることを特徴とするＰＯＰ発行システム。
【請求項２】
前記ＰＯＰ発行装置の記憶手段は、前記ＰＯＰシートを発行した日時を示す日時データをさらに記憶し、前記報知手段は、前記日時データから現在日時までの経過時間に応じて報知の形態を変更することを特徴とする請求項１に記載のＰＯＰ発行システム。
【請求項３】
前記ファイル管理装置は、前記特定された商品の商品データを受信し、前記ＰＯＰシートが発行された商品の売価を変更する操作は前記ファイル管理装置にてされ、前記ファイル管理装置に前記報知手段を有していることを特徴とする請求項１又は２に記載のＰＯＰ発行システム。
【請求項４】
前記ファイル管理装置は、前記特定された商品の商品データを受信し、前記特定された商品の売価を変更する操作が、前記ファイル管理装置にてされた場合、前記ＰＯＰ発行装置に対して、前記変更後の売価でのＰＯＰシート発行指示を送信する送信手段を設け、前記ＰＯＰ発行装置には該ＰＯＰシート発行指示に基づき、前記ＰＯＰ発行装置から前記変更後の売価でのＰＯＰシートの印字発行を促す報知手段を備えることを特徴とする請求項１又は２に記載のＰＯＰ発行システム。
【発明の詳細な説明】
【技術分野】
【０００１】
本発明は、スーパーマーケット等の店内広告として用いられるＰＯＰシートを発行するＰＯＰ発行システムに関する。
【背景技術】
【０００２】
スーパーマーケット等の店舗においてＰＯＰシートを発行する場合は、店舗の事務所内に設置され、広告印刷用アプリケーションソフトがインストールされたパソコン（以下、ＰＯＰ発行用ＰＣと記載）からの印刷指示をうけて、ＰＯＰ発行用ＰＣに接続された専用のプリンタで印刷され、発行される。また事務所内には、店内に設置されたＰＯＳレジスタからの買い上げデータの集計、分析を行うためのファイル管理装置が置かれ、ＰＯＰ発行用ＰＣとはＬＡＮを介して接続されている。
【０００３】
ＰＯＰシートの価格や商品などの印字データの変更は、ＰＯＰ発行用ＰＣのアプリケーション上で実行する事が可能である。例えば特売セールをする場合は、値引きされた商品の印字価格を変更し、その商品名と印字価格をＰＯＰシートに印刷し、そのＰＯＰシートをスーパーマーケット等の店内に掲示することで、値引き商品をアピールする。
【０００４】
本発明にかかる従来技術として、ＰＯＰ発行用ＰＣと、ＰＯＳレジスタと、プリンタとのネットワーク構成で、ＰＯＳレジスタにおいての売価変更等の操作と連携してＰＯＰシート印刷等を行うというものがある（例えば、特許文献１参照）。
【特許文献１】特開２００５−１３５１８０号公報
【発明の開示】
【発明が解決しようとする課題】
【０００５】
しかしながら、ＰＯＰ発行用ＰＣで、ある商品のＰＯＰシートを印字発行し、該発行されたＰＯＰシートが既に店内に掲示されている状態で、例えば前記商品に対して緊急に特売セールを行うため、オペレータがＰＯＳレジスタの売価や販売実績を管理するファイル管理装置で商品の売価を変更する際、該商品に対してＰＯＰシートを既に発行しているか否かを、前記ファイル管理装置で売価を変更するオペレータが分からないと、ＰＯＳレジスタでの登録売価は新たな売価に変更されたものの、店内に掲示されてあるＰＯＰシートは旧売価のままの状態になり、ＰＯＳレジスタでの登録売価と、店内に掲示されてあるＰＯＰシートの売価とが相違してしまうという問題があった。
【０００６】
本発明はかかる課題を解決するためになされたもので、売価変更をする際に、どの商品のＰＯＰシートが発行されたのかが分かるようにし、売価変更をしたＰＯＳでの登録売価と、店内に掲示してあるＰＯＰシート上の売価とが相違する事を防止できるＰＯＰ発行システムを提供することを目的とする。
【課題を解決するための手段】
【０００７】
本発明は上記の課題を解決するためになされたもので、請求項１に記載の発明は、商品コード、売価、品名等の商品データが記憶された商品ファイルと、前記商品ファイルから読み出された商品データに基づいて買い上げ商品の登録を行うＰＯＳ端末と、前記商品ファイルから読み出された商品データに基づいてＰＯＰシートを印字発行するＰＯＰ発行装置と、前記商品ファイルを管理するファイル管理装置とを具備するＰＯＰ発行システムにおいて、前記ＰＯＰ発行装置は、前記読み出された商品データに基づいてＰＯＰシートが印字発行された際、該発行されたＰＯＰシートの商品を特定可能に記憶する記憶手段と、前記ＰＯＰシートが発行された商品の売価を変更する操作がされた時、前記ＰＯＰシートが発行済みである旨を報知する報知手段を備えていることを特徴とするＰＯＰ発行システムである。
【０００８】
また請求項２に記載の発明は、前記ＰＯＰ発行装置の記憶手段は、前記ＰＯＰシートを発行した日時を示す日時データをさらに記憶し、前記報知手段は、前記日時データから現在日時までの経過時間に応じて報知の形態を変更することを特徴とする請求項１に記載のＰＯＰ発行システムである。
【０００９】
また請求項３に記載の発明は、前記ファイル管理装置は、前記特定された商品の商品データを受信し、前記ＰＯＰシートが発行された商品の売価を変更する操作は前記ファイル管理装置にてされ、前記ファイル管理装置に前記報知手段を有していることを特徴とする請求項１、２に記載のＰＯＰ発行システムである。
【００１０】
また請求項４に記載の発明は、前記ファイル管理装置は、前記特定された商品の商品データを受信し、前記特定された商品の売価を変更する操作が、前記ファイル管理装置にてされた場合、前記ＰＯＰ発行装置に対して、前記変更後の売価でのＰＯＰシート発行指示を送信する送信手段を設け、前記ＰＯＰ発行装置には該ＰＯＰシート発行指示に基づき、前記ＰＯＰ発行装置から前記変更後の売価でのＰＯＰシートの印字発行を促す報知手段を備えることを特徴とする請求項１又は２に記載のＰＯＰ発行システムである。
【発明の効果】
【００１１】
請求項１の発明によれば、ＰＯＰシートが発行された商品の売価を変更する操作がされた時、報知手段がＰＯＰシート発行済みである旨を報知するので、商品の売価の変更をするオペレータに対し注意を促す事ができ、売価変更をしたＰＯＳレジスタでの登録売価と、店内に掲示してあるＰＯＰシート上の売価とが相違する事を防止する事ができる。
【００１２】
請求項２の発明によれば、ＰＯＰシート発行からの経過日時に応じて報知の形態を変更するので、価格データ変更後の経過日時が少ない時など商品の売価の変更に誤りがある可能性が高い場合には、より目立つように売価の不一致の可能性を示唆する事ができる。
【００１３】
請求項３の発明によれば、商品ファイルを管理するファイル管理装置で売価変更をする際にＰＯＰシートが発行済みである事が分かるので、商品データをファイル管理装置にて一元管理するような場合においても、商品の売価を変更するオペレータに対して注意を促す事ができ、売価変更をしたＰＯＳレジスタでの登録売価と店内に掲示してあるＰＯＰシート上の売価とが相違する事を防ぐ事ができる。
【００１４】
請求項４の発明によれば、ファイル管理装置から売価変更後のＰＯＰシートを印字するよう指示が送信され、該指示に基づき変更後の売価でのＰＯＰシートも印字発行する事を促す報知手段もＰＯＰ発行装置にあるので、既にＰＯＰシート発行してある商品につき、再度変更後の売価でＰＯＰシートを発行しなければならない事がＰＯＰ発行装置のオペレータが容易にわかり、店内に掲示してあるＰＯＰシート上の売価とＰＯＳレジスタでの登録売価とが相違する事を防止する事ができる。
【発明を実施するための最良の形態】
【００１５】
以下、図面を参照して本発明の実施形態について説明する。図１は本実施形態におけるＰＯＰ発行システムの全体構成を示すブロック図である。本実施形態によるＰＯＰ発行システムは、商品登録をして精算するためのＰＯＳレジスタＰ１〜Ｐ３と、商品ファイルや、ＰＯＳレジスタＰ１〜Ｐ３（ＰＯＳ端末に対応）で登録された商品の販売実績データ等を管理するファイル管理装置（ファイル管理装置に対応）１と、販売商品のＰＯＰシートの発行を管理するためのＰＯＰ発行用ＰＣ２（ＰＯＰ発行装置に対応）と、ＰＯＰ発行用ＰＣ２の印刷指示に基づきＰＯＰシートを発行するための専用プリンタ３とから構成されている。
【００１６】
図２はファイル管理装置１の構成を示すブロック図である。ファイル管理装置１は、ファイル管理装置１の動作制御を行うためのＣＰＵ１０（指示手段に対応）と、商品ファイル等が記憶された記憶部１１と、ＣＰＵ１０の動作中に使用するデータ等を一時的に記憶するＲＡＭ１２と、係員が操作するためのキー操作部１３と、タッチパネルが設けられた表示部１４（報知手段に対応）と、商品添付のバーコード読み取るためのスキャナ部１５と、時間データを出力するための時計部１６と、ネットワークに接続され、データの送受信を行うための送受信部１７とから構成され、互いにバスケーブルで接続されている。
【００１７】
図３はＰＯＰ発行用ＰＣ２の構成を示すブロック図である。ＰＯＰ発行用ＰＣ２は、ＰＯＰ発行用ＰＣ２の動作制御を行うためのＣＰＵ２０と、ＣＰＵ２０が実行する制御プログラムが記憶されたＨＤＤ２１と、ＣＰＵ２０の動作中に使用するデータ等を一時的に記憶するＲＡＭ２２（記憶手段に対応）と、係員が操作するためのキー操作部２３と、表示部２４と、専用プリンタ３に接続され、ＰＯＰシート印刷データをプリンタに出力するためのプリンタ出力部２５と、時間データを出力するための時計部２６と、ネットワークに接続され、データの送受信を行うための送受信部２７（送信手段に対応）とから構成され、互いにバスケーブルで接続されている。
【００１８】
図４はＰＯＳレジスタＰ１〜Ｐ３の構成を示すブロック図である。ＰＯＳレジスタＰ１〜Ｐ３は、装置の動作制御を行うためのＣＰＵ３０と、ＣＰＵ３０が実行する制御プログラムが記憶されたＨＤＤ３１と、ＣＰＵ３０の動作中に使用するデータ等を一時的に記憶するＲＡＭ３２と、レジのオペレータが操作するためのキー操作部３３と、タッチパネルが設けられた店員用表示部３４ａと、店員用表示部３４ａと同様にタッチパネルが設けられた客用表示部３４ｂと、店員用表示部３４ａ及び客用表示部３４ｂの表示の制御を行う表示制御部３５と、レシート発行のためのレシート印刷部３６と、商品添付のバーコード読み取りのためのスキャナ部３７と、ネットワークに接続されて、データの送受信を行うための送受信部３８と、バスライン３９とから構成されている。
【００１９】
図５にファイル管理装置１、ＰＯＰ発行用ＰＣ２に記憶されている商品ファイルの記憶内容の一例を示す。商品ファイルには、商品の品番、商品のＰＬＵ（Ｐｒｉｃｅ  Ｌｏｏｋ  Ｕｐ）番号、商品の品名、商品の売価、商品の産地、商品のＰＯＰフォーマット、ＰＯＰシートの印字フラグ、ＰＯＰシートの印字日時、ＰＯＰシートの印字売価等に関する情報が格納されている。そして例えばスーパーマーケット等の開店前に、ファイル管理装置１からＰＯＰ発行用ＰＣ２へ、商品ファイルの品番から産地までのデータが送信される。これによりＰＯＰ発行用ＰＣ２では、その日の品番毎の品名や、売価、当該商品の産地等の商品データも読み出す事が可能になる。尚、ＰＯＰフォーマットから印字売価までのデータは、後述のように、ＰＯＰ発行用ＰＣ２から送信され記憶されている。
【００２０】
ＰＯＰフォーマットには、商品毎にＰＯＰシート上に印刷される文字や数字等について、字の大きさや印字位置を設定するための情報が格納される。このＰＯＰフォーマットはＰＯＰ発行用ＰＣ２のＰＯＰシート印刷アプリケーションにて、商品の品番毎に設定することができる。なお、予めファイル管理装置１で品番のＰＯＰフォーマットを設定しておいて、それを品名等のデータを送信する際に合わせてＰＯＰ発行用ＰＣ２に送信するようにしても良い。
【００２１】
印字フラグには、商品毎に商品のＰＯＰシートがＰＯＰ発行用ＰＣ２にて発行されている場合には「１」が、発行されていない場合には「０」が格納される。具体的にはＰＯＰ発行用ＰＣ２にて商品の品番が選択されて、キー操作部２３の発行キーが押された時に商品ファイルの当該品番の印字フラグに「１」が格納される。
【００２２】
印字日時には、キー操作部２３の発行キーが押された時に、つまり、前記印字フラグに「１」ＰＯＰ発行ＰＣ２の時計部２６から出力された時間データが保存される。時間データは８桁の数字で表され、最初の４桁は日付を表し、残りの４桁は時間を表す。例えば０７２７１３５０というデータが格納されている場合には、７月２７日の１３時５０分にキー操作部２３の発行キーが押され、ＰＯＰシートが発行された事を示している。また印字売価には、当該品番の商品の印字売価が変更された後、キー操作部２３の確定キーが押されることにより印字売価データが保存され、印字売価に０以外のデータが格納されていれば、その商品は印字売価のデータにてＰＯＰシートが印刷される。印字売価のデータに０が格納されていれば、売価のデータにてＰＯＰシートが印刷される。
【００２３】
商品のＰＯＰシートがＰＯＰ発行用ＰＣ２から発行される時に、図５の商品ファイル内の当該商品のＰＯＰフォーマットから印字売価までの直近のデータが上書き保存される。つまり、選択された品番に対して、印字が行われた場合、品番毎に選択されたＰＯＰフォーマットデータ、印字をした事を示す印字フラグ、印字の為に発行キーが押された日時データ、売価欄に入力された印字売価データが上書き保存される。そして、一定時間毎にＰＯＰ発行用ＰＣ２からファイル管理装置１に、商品ファイルのＰＯＰフォーマットから印字売価までの各商品データが品番をキーとして送信される。なお、一定時間毎ではなく、リアルタイムに送信されるようにしても良い。
【００２４】
これにより、ファイル管理装置１では、売価変更モードで商品ファイルを参照する際にＰＯＰ発行用ＰＣ２にて、どの品番の商品が印字されたのか、（印字フラグにて）いつ印字されたのか、（印字日時データにて）売価はいくらで印字されたのか（印字売価にて）を判断する事ができる。また、ファイル管理装置１からマスターＰＯＳレジスタＰ１へは、ファイル管理装置１に記憶されている商品ファイル内の各商品のＰＬＵ番号、品名、売価等のデータが例えばスーパーマーケット等の開店前に送信される。そして、マスターＰＯＳレジスタＰ１から他のＰＯＳレジスタＰ２、Ｐ３へ商品ファイルのデータを送信するようにする。
【００２５】
次に、上述した実施形態の動作についてフローチャートを用いて説明する。図６はファイル管理装置１のＣＰＵ１０の処理フローである。まず、ステップＳ１では、ＣＰＵ１０はファイル管理装置１のキー操作部１３で店員により売価変更モードを選択する操作がなされた時、ファイル管理装置１にて売価変更モードが選択する。
【００２６】
ステップＳ２では、ファイル管理装置１のスキャナ部１５で商品添付のバーコード（商品コード）が読み取られるか、あるいはキー操作部１３で商品のＰＬＵ番号（商品コード）がキー入力されることで売価変更する商品の商品コードを読み込む。ステップＳ３では、ステップＳ２で入力された商品コードに対応する商品を商品ファイル内から検索し、品名、売価等の商品データも表示部１４に表示させる。
【００２７】
ステップＳ４では、ファイル管理装置１において商品の売価が入力されたかどうかを判断する。売価の入力は表示部１４のタッチパネル上に表示された所定の欄にカーソルを合わせ、数字キーにて入力された後、表示部１４のタッチパネル上に表示された確定キーが押され、該当する信号が出力されたかどうかで判断される。商品の売価が入力された場合はステップＳ５に進み、入力されていない場合は終了する。
【００２８】
ステップＳ５では、ステップＳ２で入力された商品コードに対応する商品ファイルの印字フラグのデータが「１」であるかどうかを判断する。印字フラグのデータが「１」である場合はステップＳ６へと進む。印字フラグのデータが「０」である場合はステップＳ８へと進む。
【００２９】
ステップＳ６では、ファイル管理装置１の表示部１４に「ＰＯＰシートが発行されていますので、売価を確認してください。」等の警告を表示させる。これによりファイル管理装置１で商品の売価を変更しようとした場合に、当該商品に対してＰＯＰシート既に発行されている場合はその旨のメッセージが表示されているので、店内に掲示されているＰＯＰシートの売価も確認した上で、当該商品の売価も変更する事ができる。尚、ＰＯＰシートがすでに発行されていて、そのシートに印字されている売価と異なる売価に、ファイル管理装置１にて変更する場合は、当然再度変更された売価でＰＯＰシートも印字しなおす必要がある。
【００３０】
ステップＳ７では、ファイル管理装置１の表示部１４のタッチパネル上に表示されたＯＫキーが押されたかどうかが判断される。押された場合はステップＳ８へと進み、押されていない場合は終了する。ステップＳ８では、ステップＳ４で入力された売価がファイル管理装置１の商品ファイルの売価のデータに上書き保存されることで、商品ファイルが更新される。なお、商品ファイルの更新がされたあとに、ステップＳ２で特定され更新された商品の品番とステップＳ４で入力された売価データと、当該商品のＰＯＰシートを再度発行する指示コマンドを、ファイル管理装置１からＰＯＰ発行用ＰＣ２に送信するようにしても良い。そして、受信したＰＯＰ発行用ＰＣ２の表示部２４に「品番○○を売価￥○○○にてＰＯＰシートを発行してください。」と表示部２４に表示させるようにしても良い。これにより、ＰＯＰ発行用ＰＣ２を操作するオペレータは、ファイル管理装置１で売価が変更されたので、ＰＯＰシートの売価を変更して再度印字する必要があることが容易にわかるようになる。
【００３１】
なお、上記警告表示がされる場合、商品ファイル内の印字フラグの他に印字日時データを参照し、該印字日時データと、ファイル管理装置１の時計部１６から出力される計時データと比較して、該印字日時データから予め決められた日時（例えば１日）経過していない場合は、表示部１４に赤色表示させる事により、警告するようにしても良い。つまり、ＰＯＰシートを発行してから短期間の内に売価変更をするということは何らかのミスである場合があるので、店員に対し赤色表示等の目立つ表示で報知する事により売価の不一致を未然に防ぐ事ができる。
【００３２】
また、上記警告表示がされる際に、当該商品の商品ファイルの印字売価データと売価データとを両方表示するようにしても良い。これにより、ファイル管理装置１からＰＯＰ発行用ＰＣ２へ送信された売価データと実際ＰＯＰシートを印字した時の売価とが両方わかるので、これから売価変更しようとする価格と、既にＰＯＰシートを印字した価格が違うのがその場で分かるので、直ぐに再度売価変更したＰＯＰシートの発行、掲示ができる。
【００３３】
なお、ファイル管理装置１で商品ファイルの売価を変更した後は、変更した商品の売価データとＰＬＵ番号データとを、ＰＯＰ発行用ＰＣ２とＰＯＳレジスタＰ１〜Ｐ３とにそれぞれ送信することで、ＰＯＳレジスタでは変更後の売価にて商品登録が可能になり、ＰＯＰ発行用ＰＣ２でも以降は変更後の売価にてＰＯＰシート印字が可能となる。また、ステップＳ６での警告は表示部１４での表示の他に音声で知らせるようにしても良い。このことで、より効果的に注意を促す事が可能である。
【００３４】
また、ファイル管理装置１とＰＯＰ発行用ＰＣ２との機能を合わせて１台の装置で両機能を持たせるようにしても良い。
また、一定時間毎に、ＰＯＰ発行用ＰＣ２からファイル管理装置１に、商品ファイルのＰＯＰフォーマットから印字売価までの各商品データが品番をキーとして送信される際に、併せてＰＯＳレジスタＰ１〜Ｐ３へも同時に、同データを送信するようにしても良い。これにより、ＰＯＳレジスタでもファイル管理装置と同様に、どの品番の商品が印字されたのか、いつ印字されたのか、売価はいくらで印字されたのか等が分かるようになる。
【００３５】
つまり、ファイル管理装置での売価変更操作と同様に、ＰＯＳレジスタで売価変更操作を行う際に、印字フラグが「１」の商品についてＰＯＰシートが既に発行している事をＰＯＳレジスタで報知することで、ＰＯＳレジスタのオペレータに注意を促す事ができる。なお、ＰＯＳレジスタで売価変更した場合は、ファイル管理装置へその変更データを送信して商品ファイルの売価を変更することで、ファイル管理装置１とＰＯＳレジスタＰ１〜Ｐ３との商品ファイルは一致するようになる。
【産業上の利用可能性】
【００３６】
本発明は、スーパーマーケット等の店内広告として用いられるＰＯＰシートを発行するＰＯＰ発行システムに用いて好適である。
【図面の簡単な説明】
【００３７】
【図１】本発明の実施形態にかかるＰＯＰ発行システムの構成を示すブロック図である。
【図２】同ＰＯＰ発行システムにおけるファイル管理装置の構成を示すブロック図である。
【図３】同ＰＯＰ発行システムにおけるＰＯＰ発行用ＰＣの構成を示すブロック図である。
【図４】同ＰＯＰ発行システムにおけるＰＯＳレジスタの構成を示すブロック図である。
【図５】同ＰＯＰ発行システムにおける商品ファイルの一例を示す図である。
【図６】同ＰＯＰ発行システムにおけるファイル管理装置のＣＰＵの処理フローを示す図である。
【符号の説明】
【００３８】
１                  …  ファイル管理装置
２                  …  ＰＯＰ発行用ＰＣ
３                  …  専用プリンタ
Ｐ１〜Ｐ３          …  ＰＯＳレジスタ
【図１】
0004774912.tif 000002
【図２】
0004774912.tif 000003
【図３】
0004774912.tif 000004
【図４】
0004774912.tif 000005
【図５】
0004774912.tif 000006
【図６】
0004774912.tif 000007